(57)【要約】【課題】スティック本体が基端面を下方にして落下し、基端面側が床面に当たった場合でも床面に打痕が生じるのを防止することのできる衝撃吸収体及びそれを備えた新体操用スティックを提供することを課題としている。【解決手段】先端側に新体操用のリボンＲが取り付けられるようになっていると共に、基端部が握り手１ａとなっており、その握り手１ａの基端面１ｂが曲面状に盛り上がるように形成されたスティック本体１における握り手１ａに備えられた滑り止め用のグリップ２、３に設けられる衝撃吸収体４、５であって、握り手１ａの基端面１ｂに対応する部位に、少なくとも握り手１ａの軸方向に対応する方向の成分の衝撃力を吸収するクッション機能部４１、４２、４３、５１、５２、５３を有する構成になっている。【選択図】図１
2016144566.tif 000002
【特許請求の範囲】
【請求項１】
先端側に新体操用のリボンが取り付けられるようになっていると共に、基端部が握り手となっており、その握り手の基端面が曲面状に盛り上がるように形成されたスティック本体における前記握り手に備えられた滑り止め用のグリップに設けられる衝撃吸収体であって、
前記握り手の基端面に対応する部位に、少なくとも前記握り手の軸方向に対応する方向の成分の衝撃力を吸収するクッション機能部を有することを特徴する衝撃吸収体。
【請求項２】
ゴム弾性素材によって形成されていることを特徴とする請求項１に記載の衝撃吸収体。
【請求項３】
前記クッション機能部は、前記握り手の基端面側に位置し、前記ゴム弾性素材の厚さが当該握り手の軸方向に当該握り手の太さの１／２以上となるように形成されていることを特徴とする請求項２に記載の衝撃吸収体。
【請求項４】
前記クッション機能部は、前記握り手の基端面に対して当該握り手の軸方向の外側に空間が内在する状態となるように前記ゴム弾性素材によって殻状に形成されていることを特徴とする請求項２又は３に記載の衝撃吸収体。
【請求項５】
前記クッション機能部は、前記握り手の基端面に対して当該握り手の軸方向の外側に当該握り手と同軸状になるように前記ゴム弾性素材によって筒状に形成されていることを特徴とする請求項２又は３に記載の衝撃吸収体。
【請求項６】
前記グリップと一体に形成されていることを特徴とする請求項１〜５の何れかに記載の衝撃吸収体。
【請求項７】
前記グリップと別体に形成され、当該グリップに対して脱着自在に構成されていることを特徴とする請求項１〜５の何れかに記載の衝撃吸収体。
【請求項８】
請求項１〜７の何れかに記載の衝撃吸収体を、前記スティック本体の前記グリップに設けていることを特徴とする新体操用スティック。
【発明の詳細な説明】
【技術分野】
【０００１】
本発明は、新体操の競技種目の一つであるリボンにおいて使用する新体操用スティックに設けることで好適な衝撃吸収体及びそれを備えた新体操用スティックに関する。
【背景技術】
【０００２】
この種の新体操用スティックＳとしては、例えば図４に示すように、先端側にリボンＲを取り付けるようになっており、基端部に握り手１ａを有するスティック本体１を備えたものが知られている。スティック本体１は、例えばグラスファイバーによって断面円形状に形成され、かつ先端側に向けて漸次細くなるように形成されており、その先端部にはリボンＲを取り付けるための接続部１１が設けられている。スティック本体１における握り手１ａの部分は、一定の径（太さ）に形成されており、その基端面１ｂがほぼ半球状に突出した形状（曲面状に盛り上がる形状）になっている。
【０００３】
即ち、握り手１ａは、その半球状の基端面１ｂに手のひらをあてがうようにして外周面を把持しやすい形状になっている。また、握り手１ａには、通常滑り止め用のグリップ２が設けられている。グリップ２は、握り手１ａの外周面に密着しこれを覆う円筒形状の筒状部２ａと、この筒状部２ａの基端部にあって、握り手１ａの基端面１ｂに密着しこれを覆うほぼ半球殻状の底面部２ｂとによって一体に形成されている。このグリップ２は、１ｍｍ程度の厚さの薄い合成ゴム（ゴム弾性素材）によって一体に形成されている。なお、新体操用スティックＳにおけるグリップ２の部分は、国際体操連盟の規格において、太さが１０ｍｍ以下、長さが１０ｃｍ以下となるように規定されている。
【０００４】
上記のよう構成された新体操用スティックＳにおいては、リボンの演技において例えば投げ技を行なうと、先端部にリボンＲが取り付けられていることから、通常基端面１ｂを下方に向けて落下することになる。この際、新体操用スティックＳを取り損なうことがあるが、その場合には新体操用スティックＳの基端面１ｂ側が例えば体育館の床面に衝突することになる。スティック本体１は通常上述のようにグラスファイバーのような硬質の材料で形成され、かつ基端面１ｂが半球状に突出した形状のものになっていること、及びその基端面１ｂを覆うグリップ２の底面部２ｂが薄いものであることから、その衝突の際の衝撃によって、体育館の床面に基端面１ｂに対応するような形状の凹状の打痕が生じることになる。
【０００５】
特に、初心者が投げ技を練習するような場合は、新体操用スティックＳのキャッチミスが多発することになるので、例えばフローリングのような木質系の床面に多くの打痕が発生した状態になるという問題があった。
【発明の概要】
【発明が解決しようとする課題】
【０００６】
本発明は、上記事情に鑑みてなされたものであり、スティック本体がその基端面を下方にして落下し、当該基端面側が床面に当たった場合でも当該床面に打痕が生じるのを防止することのできる衝撃吸収体及びそれを備えた新体操用スティックを提供することを課題としている。
【課題を解決するための手段】
【０００７】
上記課題を解決するために、請求項１に記載の発明に係る衝撃吸収体は、先端側に新体操用のリボンが取り付けられるようになっていると共に、基端部が握り手となっており、その握り手の基端面が曲面状に盛り上がるように形成されたスティック本体における前記握り手に備えられた滑り止め用のグリップに設けられる衝撃吸収体であって、前記握り手の基端面に対応する部位に、少なくとも前記握り手の軸方向に対応する方向の成分の衝撃力を吸収するクッション機能部を有することを特徴としている。
【０００８】
請求項２に記載の発明に係る衝撃吸収体は、請求項１に記載の発明において、ゴム弾性素材によって形成されていることを特徴としている。
【０００９】
請求項３に記載の発明に係る衝撃吸収体は、請求項２に記載の発明において、前記クッション機能部は、前記握り手の基端面側に位置し、前記ゴム弾性素材の厚さが当該握り手の軸方向に当該握り手の太さの１／２以上となるように形成されていることを特徴としている。
【００１０】
請求項４に記載の発明に係る衝撃吸収体は、請求項２又は３に記載の発明において、前記クッション機能部は、前記握り手の基端面に対して当該握り手の軸方向の外側に空間が内在する状態となるように前記ゴム弾性素材によって殻状に形成されていることを特徴としている。
【００１１】
請求項５に記載の発明に係る衝撃吸収体は、請求項２又は３に記載の発明において、前記クッション機能部は、前記握り手の基端面に対して当該握り手の軸方向の外側に当該握り手と同軸状になるように前記ゴム弾性素材によって筒状に形成されていることを特徴としている。
【００１２】
請求項６に記載の発明に係る衝撃吸収体は、請求項１〜５の何れかに記載の発明において、前記グリップと一体に形成されていることを特徴としている。
【００１３】
請求項７に記載の発明に係る衝撃吸収体は、請求項１〜５の何れかに記載の発明において、前記グリップと別体に形成され、当該グリップに対して脱着自在に構成されていることを特徴としている。
【００１４】
請求項８に記載の発明に係る新体操用スティックは、請求項１〜７の何れかに記載の衝撃吸収体を、前記スティック本体の前記グリップに設けていることを特徴としている。
【発明の効果】
【００１５】
請求項１に記載の発明に係る衝撃吸収体によれば、スティック本体の握り手におけるグリップに設けられ、当該握り手の基端面に対応する部位に、少なくとも握り手の軸方向に対応する方向の成分の衝撃力を吸収するクッション機能部を有しているので、スティック本体が握り手の基端面側を下方にして落下し床面に衝突した場合でも、その床面に当たった際の衝撃をクッション機能部で吸収することができる。従って、スティック本体の落下により床面に打痕が生じるのを防止することができる。また、従来は握り手の基端面を薄手のグリップで覆うものであったため、床に落下した際の衝撃で、当該グリップが握り手の基端面に対応する部分で破損した状態になることがあったが、この発明によれば、床に落下した際の衝撃を吸収することにより、その破損を防止することができ、新体操用スティックの耐用年数の向上を図ることができる。更に、スティック本体の基端側が人体に当たるようなことがあっても、その当たった際の衝撃をクッション機能部で吸収することができることから、人体に痛み等が発生するのを防止することができる。即ち、新体操の演技やその練習等を安全かつ安心して行なうことができるという利点がある。
【００１６】
請求項２に記載の発明に係る衝撃吸収体によれば、ゴム弾性素材によって形成されているので、全体的に衝撃吸収性に富んだものを、簡単な構造のものとして安価に提供することができる。
【００１７】
請求項３に記載の発明に係る衝撃吸収体によれば、クッション機能部が握り手の基端面側に位置するゴム弾性素材によって形成され、そのゴム弾性素材の厚さが握り手の太さの１／２以上に形成されているので、ゴム弾性素材自体の弾性変形量を利用してスティック本体が床等に当たる際の衝撃を吸収することができる。従って、極めて簡単で安価なものを提供することができる。ここで、ゴム弾性素材の厚さを握り手の太さの１／２以上としたのは、この厚さ未満にすると、床面への打痕を解消することが困難になるからである。なお、ゴム弾性素材の厚さは握り手の太さ以下となるようにすることが好ましい。これは、ゴム弾性素材の厚さの増大に伴って生じる重量やコストの増加等を防止するためである。
【００１８】
請求項４に記載の発明に係る衝撃吸収体によれば、クッション機能部が握り手の基端面に対して軸方向の外側に空間が内在する状態となるようにゴム弾性素材によって殻状に形成されているので、そのクッション機能部における空間の周囲を構成するゴム弾性素材の壁部が弾性的に座屈変形等することによって大きなストロークもって衝撃を吸収することができる。従って、多くの衝撃エネルギを効果的に吸収することができるので、床面に打痕が生じるのを確実に防止することができると共に、スティック本体の基端面側が人体に当たるようなことがあっても、その人体に生じる痛み等をより確実に防止することができる。また、クッション機能部において内在する空間は重量やコストの軽減を図る上でも有効である。
【００１９】
請求項５に記載の発明に係る衝撃吸収体によれば、クッション機能部が握り手の基端面に対して軸方向の外側に当該握り手と同軸状になるようにゴム弾性素材によって筒状に形成されているので、その筒状の部分が弾性的に座屈変形等することによって大きなストロークをもって衝撃を吸収することができる。従って、この発明においても、多くの衝撃エネルギを効果的に吸収することができるので、床面に打痕が生じるのを確実に防止することができると共に、スティック本体の基端面側が人体に当たった場合でも、その際の痛み等をより確実に防止することができる。また、筒状の部分の内側には空間が生じることになるので、重量やコストの軽減を図ることもできる。
【００２０】
請求項６に記載の発明に係る衝撃吸収体によれば、グリップと一体に形成されているので、グリップと共にスティック本体の握り手に簡単に取り付けることができるという利点がある。
【００２１】
請求項７に記載の発明に係る衝撃吸収体によれば、グリップと別体に形成されているので、当該グリップに対して、必要に応じて取り付けたり、取り外したりすることができるという利点がある。
【００２２】
請求項８に記載の発明に係る新体操用スティックによれば、請求項１〜７の何れかに記載の衝撃吸収体をスティック本体の前記グリップに設けているので、上記請求項１〜７に係る発明と同様の効果を奏する。
【図面の簡単な説明】
【００２３】
【図１】本発明の実施形態１として示した衝撃吸収体及び新体操用スティックの図であって、（ａ）は正面図であり、（ｂ）は要部断面図であり、（ｃ）は要部正面図であり、（ｄ）は（ｃ）の底面図である。
【図２】本発明の実施形態２として示した衝撃吸収体及び新体操用スティックの図であって、（ａ）は当該衝撃吸収体及び新体操用スティックの第１の例として示した要部断面図であり、（ｂ）は（ａ）の底面図であり、（ｃ）は当該衝撃吸収体及び新体操用スティックの第２の例として示した要部断面図であり、（ｄ）は（ｃ）の底面図であり、（ｅ）は当該衝撃吸収体及び新体操用スティックの第３の例として示した要部断面図であり、（ｆ）は（ｅ）の底面図であり、（ｇ）は当該衝撃吸収体及び新体操用スティックの第４の例として示した要部断面図であり、（ｈ）は（ｇ）の底面図である。
【図３】本発明の実施形態３として示した衝撃吸収体及び新体操用スティックの図であって、（ａ）は当該衝撃吸収体及び新体操用スティックの第１の例として示した要部断面図であり、（ｂ）は（ａ）の底面図であり、（ｃ）は当該衝撃吸収体及び新体操用スティックの第２の例として示した要部断面図であり、（ｄ）は（ｃ）の底面図であり、（ｅ）は当該衝撃吸収体及び新体操用スティックの第３の例として示した要部断面図であり、（ｆ）は（ｅ）の底面図であり、（ｇ）は当該衝撃吸収体及び新体操用スティックの第４の例として示した要部断面図であり、（ｈ）は（ｇ）の底面図であり、（ｉ）は当該衝撃吸収体及び新体操用スティックの第５の例として示した要部断面図であり、（ｊ）は（ｉ）の底面図である。
【図４】従来例として示した新体操用スティックの図であって、（ａ）は正面図であり、（ｂ）は要部断面図であり、（ｃ）は要部正面図であり、（ｄ）は（ｃ）の底面図である。
【発明を実施するための形態】
【００２４】
本発明を実施するための形態を実施形態に基づいて詳細に説明する。
【００２５】
（実施形態１）
まず、本発明の実施形態１としての衝撃吸収体４及び新体操用スティックＳのについて、図１を参照しながら説明する。この実施形態１では、衝撃吸収体４としてグリップ３と一体に形成されたものを示す。なお、従来例として図４に示した構成要素と共通する要素には同一の符号を付し、その説明を極力簡略化する。
【００２６】
即ち、この実施形態１で示す新体操用スティックＳは、スティック本体１と、グリップ３と、衝撃吸収体４とを備えている。スティック本体１は、グラスファイバーによって断面円形状に形成されたものであり、基端側の握り手１ａの部分が一定の径（太さ）に形成されていると共に、この握り手１ａの部分より先端側の部分が漸次細くなるように形成されている。スティック本体１の先端部には、リボンＲを取り付けるための接続部１１が設けられている。即ち、スティック本体１は、先端側にリボンＲが取り付けられるようになっており、握り手１ａの部分を持って操作することにより、その先端側のリボンＢを種々の形状に変化させることが可能になっている。また、握り手１ａの基端面１ｂは、当該握り手１ａの軸方向の外側に半球面状に盛り上がる形状（曲面状に盛り上がる形状）に形成されている。なお、基端面１ｂの半球面は、握り手１ａの外周面の部分とほぼ同じ径になっている。
【００２７】
グリップ３及び衝撃吸収体４は、合成ゴム（ゴム弾性素材）（例えばＥＰＤＭ(エチレンプロピレンゴム)や、ＳＢＲ(スチレンブタジエンゴム)等）によって一体に形成されたものとなっている。グリップ３はスティック本体１の握り手１ａを覆うように形成され、衝撃吸収体４はグリップ３の基端側であって握り手１ａの基端面１ｂに対応する部分から当該握り手１ａの軸方向の外側に位置するように形成されている。
【００２８】
即ち、グリップ３は、握り手１ａの断面円形の外周面にほぼ密着するように形成された円筒状の筒状部３ａを有している。具体的には、筒状部３ａの厚さが１ｍｍに形成されており、握り手１ａの径（直径）が７ｍｍに形成されていることから、グリップ３の外径（直径）が９ｍｍ（即ち、国際体操連盟の規格の１０ｍｍ以下）に形成されている。なお、グリップ３は、握り手１ａの外周面に接着剤等により固定されるようになっており、これによりグリップ３と一体に形成された衝撃吸収体４と共に握り手１ａに固定されるようになっている。
【００２９】
衝撃吸収体４は、握り手１ａの基端面１ｂに対応する球面状の凹部４ａを有すると共に、グリップ３の筒状部３ａの径と同径の外周面４ｂを有し、この外周面４ｂの基端側が握り手１ａの軸方向の外側に半球面状に盛り上がるように形成された基端底面４ｃとなっている。なお、外周面４ｂと基端底面４ｃとはほぼ同径に形成されている。そして、衝撃吸収体４は、握り手１ａの基端面１ｂに対応する部分（即ち、握り手１ａと同径となって当該握り手１ａと同軸状に延在する部分であって、図１（ｂ）に示す２本の鎖線の内側の部分）が少なくとも握り手１ａの軸方向に対応する方向の成分の衝撃力を吸収することが可能なクッション機能部４１となっている。この場合、クッション機能部４１は、握り手１ａの基端面１ｂ側に位置する厚手の合成ゴムによって形成され、当該合成ゴムの厚さＴが握り手１ａの軸方向に当該握り手１ａの径（太さ、直径）の１／２以上となるように形成された弾性肉厚構成部となっている。また、クッション機能部４１の厚さＴは、握り手１ａの径の１／１以下にすることが好ましい。即ち、クッション機能部４１は、握り手１ａの軸方向の外側に合成ゴムの厚さを増すことによって形成された弾性肉厚構成部となるような構成になっている。
【００３０】
ここで、クッション機能部４１の厚さＴを握り手１ａの径の１／２以上でかつ当該径の１／１以下としたのは、当該径の１／２未満にすると、スティック本体１がその基端面１ｂを下方にして落下し、床面に当たった際の衝撃を十分吸収することができず、当該床面に打痕を生ずるおそれがあるからであり、当該径の１／１を超えると、合成ゴムの使用量が増加し、重量の増大や価格の上昇等を招くことになるからである。因みに、図１に示すクッション機能部４１の厚さＴは、軸心の部分において３．５ｍｍとなっている。即ち、握り手１ａの径の１／２である３．５ｍｍ以上で、当該径の１／１である７ｍｍ以下のものを示している。
【００３１】
なお、衝撃吸収体４の軸心部には、握り手１ａと同軸状に貫通孔４ｄが形成されている。貫通孔４ｄは、グリップ３を握り手１ａに嵌め込む際の空気抜孔として機能するようになっている。
【００３２】
上記のように形成された実施形態１の衝撃吸収体４及び新体操用スティックＳにおいては、衝撃吸収体４のクッション機能部４１が握り手１ａの基端面１ｂに対応する部位に位置するように形成されているので、スティック本体１が基端面１ｂを下方にして落下し床面に衝突した場合であっても、その衝突の際の衝撃をクッション機能部４１で吸収することができる。従って、新体操用スティックＳの落下によって床面に打痕が生じるのを防止することができる。
【００３３】
また、従来は握り手１ａの基端面１ｂが薄いグリップで覆われていたことから、床面への落下の際の衝撃により、そのグリップが握り手１ａの基端面１ｂの部分で破れた状態になることがあったが、この発明によれば、床面に落下した際の衝撃をクッション機能部４１で吸収することができるので、破れ等が生じるのを長期にわたって防止することができる。更に、新体操用スティックＳの落下等によってそのスティック本体１の基端面１ｂ側が人体に当たるようなことがあっても、その当たった際の衝撃をクッション機能部４１で吸収することができるので、痛み等が生じるのを防止することができる。即ち、新体操の演技やその練習を安全かつ安心して行なうことができるという利点がある。また、クッション機能部４１を有する衝撃吸収体４を所定の厚さの合成ゴムによって形成しているので、衝撃吸収性に富むものを極めて簡単な構造のものとして安価に提供することができる。しかも、衝撃吸収体４及びグリップ３が一体に形成されているので、グリップ３を握り手１ａに取り付けるだけで、衝撃吸収体４も同時にグリップ３に取り付けることができるという利点がある。
【００３４】
（実施形態２）
次に、本発明の実施形態２としての衝撃吸収体４及び新体操用スティックＳについて、図２を参照しながら説明する。この実施形態２では、衝撃吸収体４としてグリップ３と一体に形成されたものであって実施形態１で示したものと異なるものの例を、第１の例から第４の例によって示す。
【００３５】
（実施形態２の第１の例）
まず、図２（ａ）及び（ｂ）を参照して、実施形態２の第１の例を説明する。なお、図１に示した実施形態１と共通する要素には同一の符号を付し、その説明を極力簡略化する。
【００３６】
この第１の例において実施形態１と異なるのは、衝撃吸収体４におけるクッション機能部４２の構造が異なることである。
【００３７】
即ち、衝撃吸収体４は、図２（ａ）及び（ｂ）に示すように、グリップ３と同一の合成ゴムにより一体に形成され、当該グリップ３の基端側であって握り手１ａの基端面１ｂに対応する部分から当該握り手１ａの軸方向の外側に位置するように形成され、かつグリップ３の筒状部３ａの外径と同径の外周面４ｂを有し、基端底面４ｃが握り手１ａの軸方向の外側に半球面状に盛り上がるように形成されている。
【００３８】
衝撃吸収体４の凹部４ａは、その底面が握り手１ａの軸方向と直交する方向の平面状に形成され、その底面の周縁隅部がＲ状に湾曲形成された形状になっている。即ち、凹部４ａの底面は、その平面部が握り手１ａの基端面１ｂに当たるストッパとして機能するようになっており、その周縁隅部は基端面１ｂから離れた形状になっている。なお、凹部４ａの底部が平面状に形成されることで、後述の弾性肉厚構成部４２ｂの曲げ剛性が低下し、後述のコア抜き孔４２ｃからのコアの引き抜きが容易になっている。
【００３９】
また、クッション機能部４２は、衝撃吸収体４における握り手１ａの基端面１ｂに対して当該握り手１ａの軸方向の外側に空間４２ａが内在した状態となるように合成ゴムによって殻状に形成された殻状構成部となるような構成になっている。空間４２ａは、握り手１ａの基端面１ｂ側から離れる方向に漸次拡径する円錐台状に形成されていると共に、握り手１ａと同軸状に形成されている。また、クッション機能部４２には、凹部４ａの底面と空間４２ａとの間に上述した実施形態１で示したクッション機能部４１に対応する弾性肉厚構成部４２ｂが形成されている。即ち、弾性肉厚構成部４２ｂの厚さは、握り手１ａの径の１／２以上でかつ当該径の１／１以下に形成されている。（但し、この弾性肉厚構成部４２ｂについては、上記殻状構成部で構成されたクッション機能部４２が存在することから、握り手１ａの径の１／２未満の薄いもので構成してもよい。）また、この弾性肉厚構成部４２ｂには、その軸心位置に握り手１ａと同軸状のコア抜き孔４２ｃが形成されている。コア抜き孔４２ｃは、グリップ３と衝撃吸収体４とを一体に成形した後に、空間４２ａを確保するために用いたコア（図示せず）を当該空間４２ａから抜くために用いられる。また、コア抜き孔４２ｃは、グリップ３を握り手１ａに嵌め込む際の空気抜き用の孔としても機能するようになっている。
【００４０】
また、衝撃吸収体４には、基端底面４ｃの軸心に対応する位置に、握り手１ａと同軸状に形成された貫通孔４ｄが形成されている。この貫通孔４ｄは、基端底面４ｃと空間４２ａとの間を貫通することで、グリップ３を握り手１ａに嵌め込む際の空気抜き用の孔として機能するようになっている。
【００４１】
衝撃吸収体４及び新体操用スティックＳについてのその他の構成は、上記実施形態１と同様の構成になっている。
【００４２】
上記のように構成された実施形態２の第１の例として示した衝撃吸収体４及び新体操用スティックＳにおいては、衝撃吸収体４におけるクッション機能部４２が握り手１ａの基端面１ｂの軸方向の外側に空間４２ａを内在するように形成した合成ゴムによる殻状構成部によって構成されているので、握り手１ａの軸方向成分の衝撃力に対してはその空間４２ａを囲む合成ゴムによる壁部が座屈変形等することによって大きなストロークもって衝撃を吸収することができる。従って、多くの衝撃エネルギを効果的に吸収することができるので、新体操用スティックＳの落下によって床面に打痕が生じるのを確実に防止することができる。しかも、スティック本体１の基端面１ｂ側が人体に当たるようなことがあっても、痛み等が生じるのを確実に防止することができる。その他、実施形態１と同様の効果を奏する。
【００４３】
（実施形態２の第２の例）
図２（ｃ）及び（ｄ）は、実施形態２の第２の例として示した衝撃吸収体４及び新体操用スティックＳの要部を示す図である。この実施形態２の第２の例で示す衝撃吸収体４及び新体操用スティックＳは、衝撃吸収体４におけるクッション機能部４２の空間４２ａが球状に形成されている点で、図２（ａ）及び（ｂ）で示した実施形態２の第１の例と異なっている。この実施形態２の第２の例においても、実施形態２の第１の例と同様の作用効果を奏する。なお、空間４２ａとしては、楕円体やその他の形状の空間であってもよい。
【００４４】
（実施形態２の第３の例）
図２（ｅ）及び（ｆ）は、実施形態２の第３の例として示した衝撃吸収体４及び新体操用スティックＳを示す図である。この実施形態２の第３の例で示す衝撃吸収体４及び新体操用スティックＳは、クッション機能部４３が握り手１ａの基端面１ｂに対して当該握り手１ａの軸方向の外側に当該握り手１ａと同軸状になるように合成ゴムによって円筒状（筒状）に形成された筒状構成部によって構成されている点で、上記実施形態２の第１の例及び第２の例と異なっている。この場合、円筒状に形成されたクッション機能部４３の基端側の内面には、基端側に向かって漸次拡径する形状のテーパ面４３ａが形成されている。即ち、クッション機能部４３の基端側の部分は、その基端に向かって漸次肉厚が薄く形成されることで剛性の低いものとなっている。なお、上述の実施形態２の第１の例及び第２の例と共通する部分には図２（ｅ）及び（ｆ）において同一の符号を付して説明を省略する。但し、図中符号４２ｃは、コア抜き孔として機能するものではなく、単に空気抜き孔として機能する貫通孔である。
【００４５】
上記のように構成された実施形態２の第３の例においては、クッション機能部４３が握り手１ａの基端面１ｂの外側に同軸の円筒状に形成されているので、そのクッション機能部４３を構成する円筒状の合成ゴムの壁部が握り手１ａの軸方向成分の衝撃力によって座屈変形等することで、大きなストロークもって多くの衝撃エネルギを吸収することができる。従って、実施形態２の第３の例においても、床面に打痕が生じるのを確実に防止することができると共に、スティック本体１の基端面１ｂ側が人体に当たった場合でも、痛み等が生じるのを防止することができる。その他、実施形態１と同様の効果を奏する。
【００４６】
（実施形態２の第４の例）
図２の（ｇ）及び（ｈ）は、実施形態２の第４の例として示した衝撃吸収体４及び新体操用スティックＳを示す図である。この第４の例で示す衝撃吸収体４及び新体操用スティックＳは、クッション機能部４３の基端部が断面視において半円状に丸められている点で上記実施形態２の第３の例と異なっている。この実施形態２の第４の例においても、実施形態２の第３の例と同様の作用効果を奏する。
【００４７】
（実施形態３）
次に、本発明の実施形態３としての衝撃吸収体５及び新体操用スティックＳについて、図３を参照しながら説明する。この実施形態３では、衝撃吸収体５としてグリップ２と別体に形成されたものの例を、第１の例から第５の例によって示す。
【００４８】
（実施形態３の第１の例）
まず、図３（ａ）及び（ｂ）を参照して、実施形態３の第１の例を説明する。なお、図１に示した実施形態１と共通する要素には同一の符号を付し、その説明を極力簡略化する。
【００４９】
この実施形態３の第１の例で示す衝撃吸収体５及び新体操用スティックＳは、衝撃吸収体５がグリップ２と別体に構成され、当該グリップ２に対して脱着自在になっている点で実施形態１及び実施形態２と異なっている。なお、グリップ２については図４の従来例で示したものと同一の構成のものを用いることが可能である。
【００５０】
即ち、衝撃吸収体５は、スティック本体１の握り手１ａに設けられたグリップ２に取り付けた状態において、握り手１ａの基端面１ｂに対応する部位にあって、少なくとも握り手１ａの軸方向に対応する方向の成分の衝撃力を吸収することが可能なクッション機能部５１を有するものとなっている。
【００５１】
ここで、グリップ２は、合成ゴム（ゴム弾性素材）（例えばＥＰＤＭ(エチレンプロピレンゴム)や、ＳＢＲ(スチレンブタジエンゴム)等）によって一体に形成されたものとなっており、握り手１ａの外周面に密着するようにして円筒形状に形成された筒状部２ａと、この筒状部２ａの基端部にあって、握り手１ａの基端面１ｂに密着する半球殻状の底面部２ｂとによって一体に形成されている。このグリップ２は、１ｍｍ程度の厚さの薄い合成ゴムによって一体に形成されている。
【００５２】
衝撃吸収体５は、グリップ２と同一の合成ゴムによって一体に形成されたものであり、全体として円筒状の外周面５ｂを有するように形成され、その軸方向の基端側の基端底面５ｃが外側に半球面状に盛り上がるように形成されている。この基端底面５ｃと外周面５ｂとはほぼ同径に形成されている。また、衝撃吸収体５は、その先端側が外周面５ｂと同軸状の円筒部５ｅとなっている。円筒部５ｅは、グリップ２の筒状部２ａにおける基端側の外周面にゴム弾性による所定の締め付け力をもって嵌合することで当該グリップ２に固定可能になっている。即ち、円筒部５ｅは、グリップ２に嵌めた後は簡単に抜け落ちることがないような保持力をもって当該グリップ２に固定されるようになっている。円筒部５ｅ内の底面５ａは、グリップ２の底面部２ｂの外面に合致する半球面状に形成されており、当該底面部２ｂに当たることで、当該グリップ２に対する軸方向の位置が定まるようになっている。
【００５３】
クッション機能部５１は、衝撃吸収体５における握り手１ａの基端面１ｂに対応する部分（即ち、握り手１ａと同径となって当該握り手１ａと同軸状に延在するの部分であって、図３（ａ）に示す２本の鎖線の内側の部分）からなり、少なくとも握り手１ａの軸方向に対応する方向の成分の衝撃力を吸収することが可能になっている。この場合、クッション機能部５１は、握り手１ａの基端面１ｂ側に位置する合成ゴムによって形成され、当該合成ゴムの厚さＴが握り手１ａの軸方向に当該握り手１ａの径（太さ、直径）の１／２以上となるように形成された弾性肉厚構成部によって構成されている。また、クッション機能部５１の厚さＴは、握り手１ａの径の１／１以下となるようにすることが好ましい。即ち、クッション機能部５１は、握り手１ａの軸方向の外側に合成ゴムの厚さを増すことによって形成された弾性肉厚構成部となるような構成になっている。
【００５４】
ここで、クッション機能部５１の厚さＴを握り手１ａの径の１／２以上でかつ当該径の１／１以下としたのは、当該径の１／２未満にすると、スティック本体１がその基端面１ｂを下方にして落下し、床面に当たった際の衝撃を十分吸収することができず、当該床面に打痕を生ずるおそれがあるからであり、当該径の１／１を超えると、合成ゴムの使用量が増加し、重量の増大や価格の上昇等を招くことになるからである。因みに、図１に示す合成ゴムの厚さＴは、３．５ｍｍであり、握り手１ａの径の１／２である３．５ｍｍ以上、当該径の７ｍｍ以下となっている。
【００５５】
但し、クッション機能部５１の厚さＴとしては、グリップ２の底面部２ｂが緩衝材として機能することから、当該底面部２ｂがある場合にはその底面部２ｂの厚さを控除したものであってもよい。
【００５６】
なお、グリップ２の底面部２ｂに形成された貫通孔２ｃ及びクッション機能部５１の軸心部に形成された貫通孔５ｄは、グリップ２を握り手１ａに嵌める際や、衝撃吸収体５をグリップ２に嵌める際の空気抜孔として機能するものである。
【００５７】
上記のように構成された実施形態３の第１の例の衝撃吸収体５及び新体操用スティックＳにおいては、衝撃吸収体５がグリップ２と別体に形成されているので、必要に応じて衝撃吸収体５をグリップ２に取り付けたり、取り外したりすることができる利点がある。その他、上述の実施形態１と同様の作用効果を奏する。
【００５８】
（実施形態３の第２の例）
図３（ｃ）及び（ｄ）は、実施形態３の第２の例として示した衝撃吸収体５及び新体操用スティックＳの要部を示す図である。この実施形態３の第２の例で示す衝撃吸収体５及び新体操用スティックＳは、衝撃吸収体５におけるクッション機能部５２の構造が異なる点で、実施形態３の第１の例と異なっている。この場合、クッション機能部５２は、図２（ａ）及び（ｂ）で示した実施形態２の第１の例におけるクッション機能部４２と共通する構造のものとなっている。
【００５９】
即ち、衝撃吸収体５は、その底面５ａが握り手１ａの軸方向と直交する方向の平面状に形成され、その周縁隅部がＲ状に湾曲形成された形状になっている。即ち、底面５ａは、グリップ２の底面部２ｂに当たるストッパとして機能するようになっており、その周縁隅部は底面部２ｂから離れた形状になっている。なお、底面５ａが平面状に形成されることで、後述の弾性肉厚構成部５２ｂの曲げ剛性が低下し、後述のコア抜き孔５２ｃからのコアの引き抜きが容易になっている。
【００６０】
また、クッション機能部５２は、衝撃吸収体５における握り手１ａの基端面１ｂに対して当該握り手１ａの軸方向の外側に空間５２ａが内在した状態となるように合成ゴムによって殻状に形成された殻状構成部となるような構成になっている。空間５２ａは、握り手１ａの基端面１ｂから離れる方向に漸次拡径する円錐台状に形成されていると共に、握り手１ａ（衝撃吸収体５）と同軸状に形成されている。また、クッション機能部５２には、底面５ａと空間５２ａとの間に上述したクッション機能部５１に対応する弾性肉厚構成部５２ｂが形成されている。即ち、弾性肉厚構成部５２ｂの厚さは、握り手１ａの径の１／２以上でかつ当該径の１／１以下に形成されている。（但し、この弾性肉厚構成部５２ｂについては、上記殻状構成部で構成されたクッション機能部５２が存在することから、握り手１ａの径の１／２未満の薄いもので構成してもよい。）また、この弾性肉厚構成部５２ｂには、その軸心位置に握り手１ａと同軸状のコア抜き孔５２ｃが形成されている。コア抜き孔５２ｃは、衝撃吸収体５を一体に成形した後に、空間５２ａを確保するために用いたコア（図示せず）を当該空間５２ａから抜くために用いられる。また、コア抜き孔５２ｃは、グリップ２に嵌め込む際の空気抜き用の孔としても機能するようになっている。
【００６１】
また、衝撃吸収体５には、基端底面５ｃの軸心に対応する位置に、握り手１ａと同軸状に形成された貫通孔５ｄが形成されている。この貫通孔５ｄは、基端底面５ｃと空間５２ａとの間を貫通することで、グリップ２に嵌め込む際の空気抜き用の孔として機能するようになっている。
【００６２】
衝撃吸収体５及び新体操用スティックＳについてのその他の構成は、上記実施形態３の第１の例と同様の構成になっている。
【００６３】
上記のように構成された実施形態３の第２の例として示した衝撃吸収体５及び新体操用スティックＳにおいては、衝撃吸収体５におけるクッション機能部５２が握り手１ａの基端面１ｂの軸方向の外側に空間５２ａを内在するように形成した合成ゴムによる殻状構成部によって構成されているので、握り手１ａの軸方向成分の衝撃力に対してはその空間５２ａを囲む合成ゴムによる壁部が座屈変形等することによって大きなストロークもって衝撃を吸収することができる。従って、多くの衝撃エネルギを効果的に吸収することができるので、新体操用スティックＳの落下によって床面に打痕が生じるのを確実に防止することができる。しかも、スティック本体１の基端面１ｂ側が人体に当たった際にも、痛み等が生じるのを確実に防止することができる。その他、実施形態３の第１の例と同様の効果を奏する。
【００６４】
（実施形態３の第３の例）
図５（ｅ）及び（ｆ）は、実施形態３の第３の例として示した衝撃吸収体５及び新体操用スティックＳの要部を示す図である。この実施形態３の第３の例で示す衝撃吸収体５及び新体操用スティックＳは、衝撃吸収体４におけるクッション機能部５２の空間５２ａが球状に形成されている点で、図３（ｃ）及び（ｄ）で示した第２の例と異なっている。この実施形態３の第３の例においても、実施形態３の第２の例と同様の作用効果を奏する。なお、空間５２ａとしては、楕円体やその他の形状の空間であってもよい。
【００６５】
（実施形態３の第４の例）
図３（ｇ）及び（ｈ）は、実施形態３の第４の例として示した衝撃吸収体５及び新体操用スティックＳを示す図である。この実施形態３の第４の例で示す衝撃吸収体５及び新体操用スティックＳは、クッション機能部５３が握り手１ａの基端面１ｂに対して当該握り手１ａの軸方向の外側に当該握り手１ａと同軸状になるように合成ゴムによって円筒状（筒状）に形成された筒状構成部によって構成されている点で、上記実施形態３の第２の例及び第３の例と異なっている。この場合、円筒状に形成されたクッション機能部５３の基端側の内面には、基端側に向かって漸次拡径するテーパ面５３ａが形成されている。即ち、クッション機能部５３の基端側の部分は、その基端に向かって漸次肉厚が薄く形成されることで剛性の低いものとなっている。なお、上述の実施形態３の第２の例及び第３の例と共通する部分には図３（ｇ）及び（ｈ）において同一の符号を付して説明を省略する。但し、図中符号５２ｃは、コア抜き孔として機能するものではなく、単に空気抜き孔として機能する貫通孔である。
【００６６】
上記のように構成された実施形態３の第４の例においては、クッション機能部５３が握り手１ａの基端面１ｂの外側に同軸の円筒状に形成されているので、その円筒状の合成ゴムの壁部が握り手１ａの軸方向の成分の衝撃力によって座屈変形等することで、大きなストロークもって多くの衝撃エネルギを吸収することができる。従って、実施形態３の第４の例においても、床面に打痕が生じるのを確実に防止することができると共に、スティック本体１の基端面１ｂ側が人体に当たった場合でも、痛み等が生じるのを防止することができる。その他、実施形態３の第２の例及び第３の例と同様の作用効果を奏する。
【００６７】
（実施形態３の第５の例）
図３の（ｉ）及び（ｊ）は、実施形態３の第５の例として示した衝撃吸収体５及び新体操用スティックＳを示す図である。この実施形態３の第５の例で示す衝撃吸収体５及び新体操用スティックＳは、クッション機能部５３の基端部が断面視において半円状に丸められている点で上記実施形態３の第４の例と異なっている。この実施形態３の第５の例においても、実施形態３の第４の例と同様の作用効果を奏する。
【００６８】
なお、上記各実施形態においては、スティック本体１として断面円形状に形成されたものを示したが、断面が三角形、四角形、五角形、六角形等の多角形状に形成されたものであってもよい。また、グリップ２、３や衝撃吸収体４、５についても外周面が多角筒状になるように形成してもよい。この場合、握り手１ａの太さとしては、多角形の内接円の径を用いることが好ましい。
【符号の説明】
【００６９】
Ｓ  新体操用スティック
Ｒ  リボン
Ｔ  厚さ
１  スティック本体
１ａ  握り手
１ｂ  基端面
２、３  グリップ
４、５  衝撃吸収体
４１、４２、４３、５１、５２、５３  クッション機能部
４２ａ、５２ａ  空間
【図１】
2016144566.tif 000003
【図２】
2016144566.tif 000004
【図３】
2016144566.tif 000005
【図４】
2016144566.tif 000006